【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
送信待ちの上り情報および／またはリファレンス信号を確定することと、
前記上り情報および／または前記リファレンス信号を第１シーケンスで通信ノードに送信することと、
を含む、情報送信方法。
【請求項２】
前記上り情報は、上り制御情報と上りデータ情報との少なくとも１つを含む、請求項１に記載の情報送信方法。
【請求項３】
前記第１シーケンスは、長さがＭであるシーケンスセットのサブセットであり、Ｍは、前記上り情報または前記上り情報またはリファレンス信号に使用されるサブキャリアの数に対応し、Ｍ＝６であり、前記シーケンスセットは、３０個のシーケンス及び前記シーケンスの循環シフトを含み、
シーケンスセットのいずれかのシーケンスｘｉ（ｎ）は、以下の式で表す、
ｘｉ（ｎ）＝ｅｘｐ（ｊπφ（ｎ）／４）
、請求項１に記載の情報送信方法。
【請求項４】
Ｍ＝６の場合、φ（ｎ）は、下記シーケンスのいずれか１つを含み、
シーケンス１：｛１，１，１，−１，３，−３｝、
シーケンス２：｛１，１，１，３，−１，−３｝、
シーケンス３：｛１，１，１，−３，−１，３｝、
シーケンス４：｛１，１，１，−３，３，−１｝、
シーケンス５：｛１，１，−１，−１，３，−１｝、
シーケンス６：｛１，１，−１，３，−１，−１｝、
シーケンス７：｛１，１，−１，３，−３，−１｝、
シーケンス８：｛１，１，３，−１，３，３｝、
シーケンス９：｛１，１，３，−１，−３，３｝、
シーケンス１０：｛１，１，３，３，−１，３｝、
シーケンス１１：｛１，１，−３，１，−１，−１｝、
シーケンス１２：｛１，１，−３，１，３，３｝、
シーケンス１３：｛１，１，−３，３，１，３｝、
シーケンス１４：｛１，１，−３，−３，１，−３｝である、
請求項３に記載の情報送信方法。
【請求項５】
前記第１シーケンスは、長さがＭであるシーケンスセットのサブセットであり、Ｍは、前記上り情報または前記上り情報またはリファレンス信号に使用されるサブキャリアの数に対応し、Ｍ＝６であり、前記シーケンスセットは、１４個のシーケンス及び前記シーケンスの循環シフトを含み、前記１４個のシーケンスは、
各シーケンスの異なる循環シフトは直交することと、
各シーケンスのキュービックメトリック値は、第２キュービックメトリックプリセット値を超えないことと、
各シーケンスのピーク対平均電力比値は、第２ピーク対平均電力比プリセット値を超えないことと、
任意の２つのシーケンスの相互相関は、第２相互相関プリセット値を超えないことと、
の少なくとも１つの条件を満たす、請求項１に記載の情報送信方法。
【請求項６】
前記シーケンスセットのいずれかのシーケンスｘｉ（ｎ）は、以下の式で表し、
ｘｉ（ｎ）＝ｅｘｐ（ｊπφ（ｎ）／４）
【表１】
2021506158.tif 000001
ｉはシーケンスインデックスであり、ｎ＝０，１，…，Ｍ−１であり、ｉとφ（ｎ）の値は、表１に示すようにプリセットの対応関係であり、または、表１の各行の対応するシーケンスの循環シフトである、請求項５に記載の情報送信方法。
【請求項７】
前記第１シーケンスは、長さがＭであるシーケンスセットのサブセットであり、Ｍは、前記上り情報または前記上り情報またはリファレンス信号に使用されるサブキャリアの数に対応し、Ｍ＝６であり、前記シーケンスセットは、１４個のシーケンス及び前記シーケンスの循環シフトを含み、前記１４個のシーケンスは、
各シーケンスの異なる循環シフトは直交することと、
各シーケンスのキュービックメトリック値は、第３キュービックメトリックプリセット値を超えないことと、
各シーケンスのピーク対平均電力比値は、第３ピーク対平均電力比プリセット値を超えないことと、
任意の２つのシーケンスの相互相関は、第３相互相関プリセット値を超えないことと、
各シーケンスと長さが１２である第１既存シーケンスとの相互相関は、第４プリセット値を超えないことと、
の少なくとも１つの条件を満たす、請求項１に記載の情報送信方法。
【請求項８】
前記シーケンスセットのいずれかのシーケンスｘｉ（ｎ）は、以下の式で表し、
ｘｉ（ｎ）＝ｅｘｐ（ｊπφ（ｎ）／４）
ｉはシーケンスインデックスであり、ｎ＝０，１，…，Ｍ−１であり、ｉとφ（ｎ）の値は、表２に示すようにプリセットの対応関係であり、または、表２の各行の対応するシーケンスの循環シフトであり、
【表２】
2021506158.tif 000002
前記長さが１２である第１既存シーケンスｙｉ（ｎ）は、以下の式で表し、
ｙｉ（ｎ）＝ｅｘｐ（ｊπφ（ｎ）／４）
【表３】
2021506158.tif 000003
【表４】
2021506158.tif 000004
ｉはシーケンスインデックスであり、ｎ＝０，１，…，１１であり、ｉとφ（ｎ）の値は、表３または表４に示すようにプリセットの対応関係であり、または、表３または表４の各行の対応するシーケンスの循環シフトである、請求項７に記載の情報送信方法。
【請求項９】
前記第１シーケンスは、長さがＭであるシーケンスセットのサブセットであり、Ｍは、前記上り情報または前記上り情報またはリファレンス信号に使用されるサブキャリアの数に対応し、Ｍ＝１２であり、前記シーケンスセットは、３０個のシーケンス及び前記シーケンスの循環シフトを含み、前記３０個のシーケンスは、
各シーケンスの異なる循環シフトは直交することと、
各シーケンスのキュービックメトリック値は、第４キュービックメトリックプリセット値を超えないことと、
各シーケンスのピーク対平均電力比値は、第４ピーク対平均電力比プリセット値を超えないことと、
任意の２つのシーケンスの相互相関は、第５相互相関プリセット値を超えないことと、
各シーケンスと長さが１２である第２既存シーケンスとの相互相関は、第６プリセット値を超えないことと、
の少なくとも１つの条件を満たす、請求項１に記載の情報送信方法。
【請求項１０】
前記シーケンスセットのいずれかのシーケンスｘｉ（ｎ）は、以下の式で表し、
ｘｉ（ｎ）＝ｅｘｐ（ｊπφ（ｎ）／４）
ｉはシーケンスインデックスであり、ｎ＝０，１，…，Ｍ−１であり、ｉとφ（ｎ）の値は、表５に示すようにプリセットの対応関係であり、または、表５の各行の対応するシーケンスの循環シフトであり、
【表５】
2021506158.tif 000005
前記長さが１２である第２既存シーケンスｙｉ（ｎ）は、以下の式で表し、
ｙｉ（ｎ）＝ｅｘｐ（ｊπφ（ｎ）／４）
ｉはシーケンスインデックスであり、ｎ＝０，１，…，１１であり、ｉとφ（ｎ）の値は、表５に示すようにプリセットの対応関係であり、または、表５の各行の対応するシーケンスの循環シフトである、請求項９に記載の情報送信方法。
【請求項１１】
Ｍ＝１８の場合、φ（ｎ）は、下記シーケンスのいずれか１つを含み、
シーケンス１＝｛−１，３，−１，−３，３，１，−３，−１，３，−３，−１，−１，１，１，１，−１，−１，−１｝、
シーケンス２＝｛３，−３，３，−１，１，３，−３，−１，−３，−３，−１，−３，３，１，−１，３，−３，３｝、
シーケンス３＝｛１，１，−１，−１，−３，−１，１，−３，−３，−３，１，−３，−１，−１，１，−１，３，１｝、
シーケンス４＝｛３，−３，１，１，３，−１，１，−１，−１，−３，１，１，−１，３，３，−３，３，−１｝、
シーケンス５＝｛１，１，−３，３，３，１，３，−３，３，−１，１，１，−１，１，−３，−３，−１，３｝、
シーケンス６＝｛３，−１，３，１，−３，−３，−１，１，−３，−３，３，３，３，１，３，−３，３，−３｝、
シーケンス７＝｛−３，−１，−３，−３，１，１，−１，−３，−１，−３，−１，−１，３，３，−１，３，１，３｝、
シーケンス８＝｛１，１，−３，−３，−３，−３，１，３，−３，３，３，１，−３，−１，３，−１，−３，１｝、
シーケンス９＝｛３，１，−３，１，−３，３，３，−１，−３，−３，−１，−３，−３，３，−３，−１，１，３｝、
シーケンス１０＝｛３，３，３，−３，−１，−３，−１，３，−１，１，−１，−３，１，−３，−３，−１，３，３｝、
シーケンス１１＝｛−３，１，１，−３，１，１，３，−３，−１，−３，−１，３，−３，３，−１，−１，−１，−３｝、
シーケンス１２＝｛１，−３，−１，−３，３，３，−１，−３，１，−３，−３，−１，−３，−１，１，３，３，３｝、
シーケンス１３＝｛３，−１，−３，１，−３，−３，−３，３，３，−１，１，−３，−１，３，１，１，３，３｝、
シーケンス１４＝｛３，−１，−１，１，−３，−１，−３，−１，−３，−３，−１，−３，１，１，１，−３，−３，３｝、
シーケンス１５＝｛−１，−３，１，−３，−３，−３，１，１，３，３，−３，３，３，−３，−１，３，−３，１｝である、
請求項３に記載の情報送信方法。
【請求項１２】
前記第１シーケンスは、長さがＭであるシーケンスセットのサブセットであり、Ｍは、前記上り情報または前記上り情報またはリファレンス信号に使用されるサブキャリアの数に対応し、Ｍ＝２４であり、前記シーケンスセットは、３０個のシーケンス及び前記シーケンスの循環シフトを含み、前記３０個のシーケンスは、
各シーケンスの異なる循環シフトは直交することと、
各シーケンスのキュービックメトリック値は、第６キュービックメトリックプリセット値を超えないことと、
各シーケンスのピーク対平均電力比値は、第６ピーク対平均電力比プリセット値を超えないことと、
任意の２つのシーケンスの相互相関は、第８相互相関プリセット値を超えないことと、
各シーケンスと長さが２４である第４既存シーケンスとの相互相関は、第９プリセット値を超えないことと、
の少なくとも１つの条件を満たす、請求項１に記載の情報送信方法。
【請求項１３】
前記シーケンスセットのいずれかのシーケンスｘｉ（ｎ）は、以下の式で表し、
ｘｉ（ｎ）＝ｅｘｐ（ｊπφ（ｎ）／４）
ただし、ｉはシーケンスインデックスであり、ｎ＝０，１，…，Ｍ−１であり、ｉとφ（ｎ）の値は、表６に示すようにプリセットの対応関係であり、または、表６の各行の対応するシーケンスの循環シフトであり、
【表６】
2021506158.tif 000006
前記長さが２４である第４既存シーケンスｙｉ（ｎ）は、以下の式で表し、
ｙｉ（ｎ）＝ｅｘｐ（ｊπφ（ｎ）／４）であり、
【表７】
2021506158.tif 000007
ｉはシーケンスインデックスであり、ｎ＝０，１，…，２３であり、ｉとφ（ｎ）の値は、表７に示すようにプリセットの対応関係であり、または、表７の各行の対応するシーケンスの循環シフトである、請求項１２に記載の情報送信方法。
【請求項１４】
前記循環シフトｙｉ（ｎ，α）は、以下で表し、
ｙｉ（ｎ，α）＝ｘｉ（ｎ）ｅｘｐ（ｊ・２παｎ／Ｌ）
αは循環シフト量であり、値はα∈｛０，１，２，…，Ｌ−１｝である、請求項３、６、８、１０、１３のいずれか１項に記載の情報送信方法。
【請求項１５】
シーケンスインデックスｉは、セル識別子に基づいて確定し、循環シフト量αは、前記通信ノードの指示シグナリングに基づいて確定し、または、
シーケンスインデックスｉおよび巡回シフト量αは、前記通信ノードの指示シグナリングに基づいて確定する、
請求項１４に記載の情報送信方法。
【請求項１６】
プロセッサーと、
プロセッサーによって実行可能な命令を格納するためのメモリとを備え、
前記プロセッサーは、
送信待ちの上り情報および／またはリファレンス信号を確定し、
前記上り情報および／またはリファレンス信号を第１シーケンスで通信ノードに送信するように設定され、
情報送信装置。
【請求項１７】
記憶したプログラムを含む記憶媒体であって、前記プログラムが作動されると、請求項１〜１４のいずれか１項に記載の情報送信方法を実行する、記憶媒体。